(57)【要約】【課題】腰部、頸部、膝部等に装着して整体を図るのに好適な姿勢調整用クッションを提供する。【解決手段】本発明の姿勢調整用クッションは、セパレートポシェット１０が、対向する一対のポケット部にヒノキパックを収容して二つ折りにした後、返し部１の面ファスナーにより二つ折り状態を保つよう構成されており、セパレートポシェット１０には雄と雌の面ファスナーを持つベルトが取り付け自在になっている。【選択図】図２
2016067607.tif 000002
【特許請求の範囲】
【請求項１】
セパレートポシェットは、対向する一対のポケット部にヒノキパックを収容して二つ折りにした後、返し部の面ファスナーにより二つ折り状態を保つよう構成されており、セパレートポシェットには一つの面に雄と雌の面ファスナーを持つベルトが取り付け取り外し自在になっている、ことを特徴とする姿勢調整用クッション。
【請求項２】
前記セパレートポシェットは、表面が矩形状の表面主部からなり、表面主部の上端には返し部が上方に延伸するよう取り付けられると共に、表面主部の表面下端部の上面には第１の面ファスナー雌部が取り付けられ、表面主部の上端に上方に延伸するように取り付けられた返し部の裏面の上部には第１の面ファスナー雄部が取り付けられ、表面主部の裏面には折り曲げ部を隔てて互いに形状が同様の第１ポケット部と第２ポケット部が対向して取り付けられており、第１ポケット部には一対のベルト通し部が取り付けられてなる、ことを特徴とする請求項１に記載される姿勢調整用クッション。
【請求項３】
前記ベルトは布製の素材の上面のかなりの部分に第２の面ファスナー雌部が取り付けられ、布製の素材の上面の一端は第２の面ファスナー雄部とされ、他端には長孔を持つ連結部が接続されてなる、ことを特徴とする請求項１又は２に記載される姿勢調整用クッション。
【請求項４】
前記ヒノキパックは網袋に収納された多数のサイコロ状のヒノキチップからなる、ことを特徴とする請求項１乃至３のいずれか１項に記載される姿勢調整用クッション。
【発明の詳細な説明】
【技術分野】
【０００１】
本発明は、腰部、頸部、膝部等に装着して整体を図るのに好適な可搬式装着具の分野に属する。
【背景技術】
【０００２】
人間の体には微妙な凹凸があるが、生活習慣によっては正しい姿勢が保たれないことが頻繁に発生する。長時間同じ姿勢で机やパソコンに向かっていたり、長時間同じ姿勢で座席に座り続けたり、体に合わない寝具で眠ったりするのは、決して体にとって好ましいことではない。このようなことから、腰部や頸部や膝部などに無用の負担をかけてしまい、疲れや疼痛の発生に至ることがよくある。腰部や膝部に装着してこれらのトラブルに対処する健康具が種々提案されてもいる。
【０００３】
このような中にあって、特許文献１（実用新案登録第３０８５０１８号公報）に記載される発明は、身体の腰部回りを囲む長さを有する腰部を覆うための晒し木綿を積層した布製帯状本体（２）とこれより狭い幅の締結帯（４）からなるもので、帯状本体（２）にはスリット（６）が形成されており、締結帯（４）を挿通して装着時に身体の前部で結ぶようにした腰部装着護腰帯で、吸湿性に優れ蒸れることがなく、快適な使用感と保温効果、矯正、整体効果を有するものである。
【０００４】
また、特許文献２（特開２００６―２７１９４８号公報）に記載される発明は、寝た時に膝のうらに隙間がある為自分の足の重みや布団、毛布等の重みが加わり、さらに悪化し痛みとなる。この膝の裏に柔らかな膝枕を入れてあげることにより痛みが無く良く眠れ又朝起きた時痛みなく動くことができるというものである。
【０００５】
また、特許文献３（特開２０１４―７６１６３号公報）に記載される発明は、腰痛ベルト１が、上部ベルト３と下部ベルト５の２種類のベルトからなり、上部ベルト３の腰当て部３１の下縁と下部ベルト５の臀部当て部５１の上縁に互いに面接合する面ファスナが設けられている。また、下部ベルト５の臀部当て部５１の外面における左右方向に離間した各位置にサブベルト６２Ｌ、６２Ｒがあり、このサブベルト６２Ｌ、６２Ｒの端部６７Ｌ、６７Ｒには左側部及び右側部に面接合する面ファスナが設けられているというものである。
【先行技術文献】
【特許文献】
【０００６】
【特許文献１】実用新案登録第３０８５０１８号公報
【特許文献２】特開２００６―２７１９４８号公報
【特許文献３】特開２０１４―７６１６３号公報
【発明の概要】
【発明が解決しようとする課題】
【０００７】
本願発明は、長時間同じ姿勢で机やパソコンに向かっていたり、長時間同じ姿勢で座席に座り続けたり、体に合わない寝具で眠ったりすることを想定して、腰や頸や膝と言った人間の体の微妙な凹凸にフィットするクッションを具備することにより、体の凹凸部を保護しつつ整体に寄与することができると共に、クッション材にアロマテラピー効果を与えて利用者をリラックスさせたり睡眠に導いたりするのに好適な姿勢調整用クッションを提供することにある。
【課題を解決するための手段】
【０００８】
本発明に係る姿勢調整用クッションは、セパレートポシェットは、対向する一対のポケット部にヒノキパックを収容して二つ折りにした後、返し部の面ファスナーにより二つ折り状態を保つよう構成されており、セパレートポシェットには一つの面に雄と雌の面ファスナーを持つベルトが取り付け取り外し自在になっている、ことを特徴とする。
【０００９】
また、本発明に係る姿勢調整用クッションは、前記セパレートポシェットは、表面が矩形状の表面主部からなり、表面主部の上端には返し部が上方に延伸するよう取り付けられると共に、表面主部の表面下端部の上面には第１の面ファスナー雌部が取り付けられ、表面主部の上端に上方に延伸するように取り付けられた返し部の裏面の上部には第１の面ファスナー雄部が取り付けられ、表面主部の裏面には折り曲げ部を隔てて互いに形状が同様の第１ポケット部と第２ポケット部が対向して取り付けられており、第１ポケット部には一対のベルト通し部が取り付けられてなる、ことを特徴とする。
前記包装容器本体の素材がプラスチックフィルムであることを特徴とする。
【００１０】
また、本発明に係る姿勢調整用クッションは、前記ベルトは布製の素材の上面のかなりの部分に第２の面ファスナー雌部が取り付けられ、布製の素材の上面の一端は第２の面ファスナー雄部とされ、他端には長孔を持つ連結部が接続されてなる、ことを特徴とする。
【００１１】
また、本発明に係る姿勢調整用クッションは、前記ヒノキパックは網袋に収納された多数のサイコロ状のヒノキチップからなる、ことを特徴とする。
【発明の効果】
【００１２】
請求項１に係る発明によれば、種々の体格の人々に装着して用いるのに好適で、寝相の変化にも位置ずれが生じにくく、首枕としても使用可能という効果を有する。ヒノキパックが体の凹凸部にフィットして、良好なクッション作用により体の局部の整体効果を高め保護目的を果たす。
また、請求項２に係る構成を採れば、セパレートポシェット１０のポケット部５、６にヒノキパック２０を収容した後、二つ折りにして返し部１により第１の面ファスナー雄部４と表面主部２に取り付けた第１の面ファスナー雌部３とをしっかりと締結するので、セパレートポシェット１０の構造も形状も安定化して局部に良くフィットする。これは、腰枕として使う際にも、首枕として使う際にも、或いは膝枕として使う際にもはなはだ都合が良い。表面主部２、返し部１、第１ポケット部５、第２ポケット部６の素材は空孔や隙間を持った特殊素材でできたクッション効果のある布でできているから、通気性が良く蒸れ難くなっている。
また、請求項３に係る構成を採れば、セパレートポシェット１０は、雄と雌の面ファスナーによりしっかり締結されるので、装着部での安定性が高まり、ずれの発生を少なくすることができる。
また、請求項４に係る構成を採れば、サイコロ型のヒノキチップ２５が体に優しいクッション効果を与えるから、整体や局部の保護に有効であると共に、ヒノキチップ２５のアロマテラピー効果は、利用者をリラックスさせたり睡眠に導いたりするのに好適でもある。
【図面の簡単な説明】
【００１３】
【図１】図１は本発明のセパレートポシェットの表面を表す一例の説明図である。
【図２】図２は本発明のセパレートポシェットの裏面を表す一例の説明図である。
【図３】図３は本発明のベルトを表す一例の説明図である。
【図４】図４は本発明のヒノキパックを表す一例の説明図である。
【図５】図５は本発明のヒノキチップを表す一例の説明図である。
【発明を実施するための形態】
【００１４】
本発明を実施するための形態としては、セパレートポシェットは、対向する一対のポケット部にヒノキパックを収容して二つ折りにした後、返し部の面ファスナーにより二つ折り状態を保つよう構成されており、セパレートポシェットには一つの面に雄と雌の面ファスナーを持つベルトが取り付け取り外し自在になっている、ことを特徴とする姿勢調整用クッション、とすることが出来る。
【００１５】
本発明を実施するための形態としては、前記セパレートポシェットは、表面が矩形状の表面主部からなり、表面主部の上端には返し部が上方に延伸するよう取り付けられると共に、表面主部の表面下端部の上面には第１の面ファスナー雌部が取り付けられ、表面主部の上端に上方に延伸するように取り付けられた返し部の裏面の上部には第１の面ファスナー雄部が取り付けられ、表面主部の裏面には折り曲げ部を隔てて互いに形状が同様の第１ポケット部と第２ポケット部が対向して取り付けられており、第１ポケット部には一対のベルト通し部が取り付けられてなる、ことを特徴とする請求項１に記載される姿勢調整用クッション、とすることが出来る。
【００１６】
本発明を実施するための形態としては、前記ベルトは布製の素材の上面のかなりの部分に第２の面ファスナー雌部が取り付けられ、布製の素材の上面の一端は第２の面ファスナー雄部とされ、他端には長孔を持つ連結部が接続されてなる、ことを特徴とする請求項１又は２に記載される姿勢調整用クッション、とすることが出来る。
【００１７】
本発明を実施するための形態としては、前記ヒノキパックは網袋に収納された多数のサイコロ状のヒノキチップからなる、ことを特徴とする請求項１乃至３のいずれか１項に記載される姿勢調整用クッション、とすることが出来る。
【実施例】
【００１８】
図１は本発明のセパレートポシェット１０の表面を表す一例の説明図である。セパレートポシェット１０の表面主部２は、表面に多数の空孔を備え裏面に多数の隙間を備えた特殊素材でできたクッション効果のある布から成っている。表面主部２の上端には返し部１が上方に延伸するように取り付けられている。返し部１は多数の空孔を有しており特殊素材でできたクッション効果のある布から成っている。表面主部２の表面下端部の上面には第１の面ファスナー雌部３が取り付けられている。
【００１９】
図２は本発明のセパレートポシェット１０の裏面を表す一例の説明図である。裏面の上端に上部に延伸するように取り付けられた返し部１の上部には、第１の面ファスナー雄部４が取り付けられている。表面主部２の裏面には、折り曲げ部９を隔てて第１ポケット部５と第２ポケット部６が互いに対向して取り付けられている。ポケット入口７は折り曲げ部９を隔てて互いに１５ｍｍ〜２０ｍｍ離れており、ポケット部５、６に後述するヒノキパック２０を収容しやすくなっている。上方に位置する第１ポケット部５には一対のベルト通し部８が外れないように取り付けられており、後述するベルト１１をベルト通し部８に通してセパレートポシェット１０を腰部や膝部等にしっかりと固定することができるようになっている。いずれにしても、表面主部２を折り曲げ部９を境目として二つ折りにした後、返し部１を曲げて第１の面ファスナー雄部４と表面主部２に取り付けた第１の面ファスナー雌部３とをしっかりと締結するので、セパレートポシェット１０の構造も形状も安定化する。これは、腰枕として使う際にも、首枕として使う際にも、或いは膝枕として使う際にも円盤状形態が担保できてはなはだ都合が良い。表面主部２、返し部１、第１ポケット部５、第２ポケット部６の素材は空孔や隙間を持った特殊素材でできたクッション効果のある布でできているから、通気性が良く蒸れ難くなっている。
【００２０】
図３は本発明のベルト１１を表す一例の説明図である。ベルト１１は弾力性があり丈夫な布の上面のかなりの部分に第２の面ファスナー雌部１３が取り付けられ、布の上面の一端には第２の面ファスナー雄部１２が取り付けられ、布の他端には長孔１５を持つ連結部１４が接続されて成っている。セパレートポシェット１０を腰部や膝部或いは椅子に装着して用いる際には、ベルト１１の一端部を連結部１４の長孔１５に差し込んだ後、ベルト１１の一端部を反転させてベルト１１のたるみを調整しながら第２の面ファスナー雄部１２と第２の面ファスナー雌部１３とを係止させればよい。セパレートポシェット１０を首枕として使う際には、ベルト１１を外して首枕専用として持ち運んで使うようにすることもできる。
【００２１】
図４は本発明のヒノキパック２０を表す一例の説明図である。ヒノキパック２０の構成を述べると、多数の空孔を有する繊維質の網袋２１が用意されており、その上端には線ファスナー２２が取り付けてある。線ファスナー２２はスライダーの引き手２３を操作することにより開閉できるようになっている。引き手２３はスライダーに少なくとも前後に揺動が可能なように取り付けられているから、線ファスナー２２を閉じた時に引き手２３が妄動しないようにする場合には、スライダーの引き手２３をゴム部材２４の中に収容することができる。ヒノキパック２０は２セット用意されていて、セパレートポシェット１０の第１ポケット部５と第２ポケット部６の双方に収容して用いることができるし、ポケット部５、６の一方のみに収納して用いることもできる。ヒノキパック２０には図５に示されるような天然檜材から拵えた略直方体のヒノキチップ２５を多数収納することができる。略直方体のヒノキチップ２５は一辺が数ｍｍで、角部を落として丸みを付けた形状にしているのでこれをサイコロ形状と呼ぶことにする。檜に含まれるセドノールには精神を安定させ睡眠障害などを改善する作用があり、自然の香りはリラックス効果を発揮する。その他、ヒノキチップには消臭効果や抗菌効果、防虫・防ダニ効果があることも確認されている。
体格に合わせて使うヒノキパック２０は１袋から２袋に増やすこともできるが、２袋目の網袋２１に収納するヒノキチップ２５の数量を加減することにより利用者の体格に合ったクッション性を得るよう調整することができる。
【００２２】
次に、本願の姿勢調整用クッションの使用方法を説明する。例えば、新幹線や飛行機などで長旅をするような場合、セパレートポシェット１０にヒノキパック２０をセットし、ベルト１１を外して首枕として座席で使うことができる。また例えば、オフィスでパソコン作業をする時や就寝時などには、ベルト１１を装着した姿勢調整用クッションを用いて、腰部にセパレートポシェット１０を当ててベルト１１を面ファスナー１２、１３でしっかり固定して用いる。また例えば、家庭などで勉強机に向かう時には、セパレートポシェット１０を椅子にベルト１１で固定して用いることもできる。その際には、第２の面ファスナー雄部１２と第２の面ファスナー雌部１３とが互いに向かい合うようにベルト１１の連結部１４の長孔１５に差し込む必要がある。膝部に適用する場合は、膝に巻き付けて装着するのであるが、ベルトがもし長すぎる場合には、必要に応じてベルトの裏表を反転させて適用するのが有利な場合もあり得る。
【産業上の利用可能性】
【００２３】
このように、本願発明の姿勢調整用クッションは小型軽量なので持ち運んでどこででも使うことができる。また、専門の整体師が、体格に拘わらず最低限必要なヒノキチップの量を見つけ出して一つのヒノキパックに収納し、もう一つのヒノキパックでヒノキチップの量を加減するよう工夫したことと、セパレートポシェットを二つ折りとする工夫を凝らしたことで、どのような体格の人にも適応した姿勢調整用クッションが提供できるし、ヒノキチップによるアロマテラピー効果もあるので、社会に広く普及することが期待される。老若男女を問わず用いるに好適なよう、表面主部の色彩もピンク、ベージュ、イエロー、グリーン、ネイビーと５種類用意して対応している。
【符号の説明】
【００２４】
１      返し部
２      表面主部
３      第１の面ファスナー雌部
４      第１の面ファスナー雄部
５      第１ポケット部
６      第２ポケット部
７      ポケット入口
８      ベルト通し部
９      折り曲げ部
１０    セパレートポシェット
１１    ベルト
１２    第２の面ファスナー雄部
１３    第２の面ファスナー雌部
１４    連結部
１５    長孔
２０    ヒノキ（檜）パック
２１    網袋
２２    線ファスナー
２３    スライダーの引き手
２４    ゴム部材
２５    ヒノキ（檜）チップ
【図１】
2016067607.tif 000003
【図２】
2016067607.tif 000004
【図３】
2016067607.tif 000005
【図４】
2016067607.tif 000006
【図５】
2016067607.tif 000007